(57)【要約】【課題】異方導電フィルムが巻かれたリールの付け間違いを十分に防止できる熱圧着装置を提供すること。【解決手段】本発明に係る熱圧着装置１００は、対向配置された一対の回路部材Ｂ１，Ｂ２の間に設けた異方導電フィルム１を介し、回路部材Ｂ１，Ｂ２がそれぞれ有する回路電極Ｅ１，Ｅ２同士を電気的に接続するためのものであって、巻芯５ａ及びこれに巻き重ねされた異方導電フィルム１を有するタグ付きリール５が装着されるリール保持手段（回転軸１０ｂ）と、リール保持手段にリールを装着する際、タグ２に記録されたリール５の固有情報を読み取る読取り手段（リーダ１２）とを備える。【選択図】図１
2009278059.tif 000002
【特許請求の範囲】
【請求項１】
対向配置された一対の回路部材の間に設けた異方導電フィルムを介し、前記一対の回路部材がそれぞれ有する回路電極同士を電気的に接続する熱圧着装置であって、
巻芯及びこれに巻き重ねられた異方導電フィルムを有するタグ付きリールが装着されるリール保持手段と、
前記リール保持手段に前記リールを装着する際、前記タグに記録された当該リールの固有情報を読み取る読取り手段と、
を備える熱圧着装置。
【請求項２】
前記リール保持手段に装着すべきリールの固有情報が記録されるデータ格納部と、
前記データ格納部に予め記録された固有情報と前記読取部によって読み取られた固有情報とを照合し、これらの固有情報が一致するか否かを判定する判定部と、
前記判定部によって前記固有情報が一致すると判定された場合には当該熱圧着装置を作動可能とし、一致しないと判定された場合には当該熱圧着装置を作動不能とする制御部と、
を更に備える、請求項１に記載の熱圧着装置。
【請求項３】
前記判定部による判定結果を作業者に視覚的又は音声的に知らせる伝達手段を更に備える、請求項２に記載の熱圧着装置。
【発明の詳細な説明】
【技術分野】
【０００１】
本発明は、対向配置された一対の回路部材の間に設けた異方導電フィルムを介し、当該一対の回路部材がそれぞれ有する回路電極同士を電気的に接続して回路接続体を製造する熱圧着装置に関する。
【背景技術】
【０００２】
液晶ディスプレイ（ＬＣＤ：Liquid  Crystal  Display）などのフラットパネルディスプレイは、様々な用途に適用されている。ＬＣＤは、例えば、ノートパソコン、モニタ及びテレビ向けの大型パネル、並びに、携帯電話、ＰＤＡ（Personal  Digital  Assistant）及びゲーム等のモバイル機器向けの中・小型パネルに使用されている。
【０００３】
ＬＣＤは、回路基板上にＩＣチップ等の電子部品を実装する工程及び／又は回路基板同士を電気的に接続する工程を経て製造される。多数の電極を有する被接続部材同士を電気的に接続するための接続材料として、異方導電フィルム（ＡＣＦ：Anisotropic  Conductive  Film）が使用される。異方導電フィルムは、被接続部材同士を接続する際、相対する電極同士の導通状態を保ち、隣接する電極同士の絶縁を保つように電気的接続と機械的固着を行うものである。異方導電フィルムは、熱硬化性樹脂を含有する接着剤成分と、必要により配合される導電性粒子とを含有する接着剤組成物からなり、ポリエチレンテレフタレートフィルム（ＰＥＴ）などの基材上にフィルム状に形成される。
【０００４】
異方導電フィルムを用いたドライバＩＣの実装法として、以下のような方法が知られている。例えば、ドライバＩＣをＴＣＰ（Tape  Carrier  Package）化又はＣＯＦ（Chip  on  Film）化した後、該部材をＬＣＤパネルやプリント基板（ＰＷＢ：Printed  Wiring  Board）に異方導電フィルムを介して電気的に接続する方法である。また、中・小型ＬＣＤを製造する場合にあっては、異方導電フィルムによってＬＣＤパネルにベアドライバＩＣを直接実装するＣＯＧ（Chip  on  Glass）方式が知られている。下記特許文献１には、絶縁性樹脂中に硬化剤と導電性粒子を分散してなる異方導電膜が記載されている。下記特許文献２には、異方導電フィルムを介して被接続部材同士を接続するための熱圧着装置が記載されている。
【特許文献１】特開２００２−２６０４５０号公報
【特許文献２】特開平１１−１０３１５３号公報
【発明の開示】
【発明が解決しようとする課題】
【０００５】
ところで、使用する異方導電フィルムは、実装法又は被接続部材の種類によって異なるため、数多くの種類の異方導電フィルムが存在する。ＬＣＤパネルの製造においては、ＯＬＢ（Outer  Lead  Bonding）用、ＰＷＢ用又はＣＯＧ用などの異方導電フィルムを適宜使用する。また、接続すべき回路電極の高さに適した厚さを有する異方導電フィルムを選択するなど、被接続部材に見合う異方導電フィルムを選択して使用する。異方導電フィルムは、厚さの他に、幅、長さ及び接着剤組成物の組成によって分類される。
【０００６】
このように多種の異方導電フィルムが存在するため、その管理には一般にバーコードなどのラベルが使用される。例えば、異方導電フィルムが巻かれたリールの側板にバーコードを付し、これに異方導電フィルムの固有情報を記録しておくことによって管理がなされている。
【０００７】
しかし、リールに付されたバーコードに作業者がリーダをかざし、異方導電フィルムの固有情報を確認するのでは、本来使用すべき異方導電フィルムと異なる種類のものを熱圧着装置に装着してしまうというミスが生じるおそれがある。このようなミスが看過され、そのまま実装作業を行なった場合、接続信頼性が不十分な回路接続体が製造されるという問題が生じる。
【０００８】
本発明は、上記事情に鑑みてなされたものであり、異方導電フィルムが巻かれたリールの付け間違いを十分に防止できる熱圧着装置を提供することを目的とする。
【課題を解決するための手段】
【０００９】
本発明に係る熱圧着装置は、対向配置された一対の回路部材の間に設けた異方導電フィルムを介し、一対の回路部材がそれぞれ有する回路電極同士を電気的に接続するためのものであって、巻芯及びこれに巻き重ねられた異方導電フィルムを有するタグ付きリールが装着されるリール保持手段と、リール保持手段にリールを装着する際、タグに記録された当該リールの固有情報を読み取る読取り手段とを備えることを特徴とする。
【００１０】
本発明に係る熱圧着装置のリール保持手段に対し、リールの固有情報、すなわち、巻かれている異方導電フィルムの用途、厚さ、幅、組成又は固有番号等が記録されたタグが付されたリールを装着する。この際、熱圧着装置が備える読取り手段によって上記固有情報が自動的に読み取られる。この固有情報に基づいて異方導電フィルムの種類の識別や履歴管理が行われる。このように、本発明の熱圧着装置によれば、装着したタグ付きリールに巻かれた異方導電フィルムが今後の実装作業に適したものであるか否かを作業直前に確認できる。このため、仮に本来使用すべきでないリールを装着した場合であっても、作業を開始する前に適したリールに付け替えることができる。
【００１１】
本発明に係る熱圧着装置は、リール保持手段に装着すべきリールの固有情報が記録されるデータ格納部と、データ格納部に予め記録された固有情報と読取り手段によって読み取られた固有情報とを照合し、これらの固有情報が一致するか否かを判定する判定部と、判定部によって上記固有情報が一致すると判定された場合には当該熱圧着装置を作動可能とし、一致しないと判定された場合には当該熱圧着装置を作動不能とする制御部とを更に備えることが好ましい。
【００１２】
上記構成の熱圧着装置によれば、今後の実装作業で使用すべき異方導電フィルムに関する固有情報をデータ格納部に記録することができる。データ格納部に予め記録された固有情報と読取り手段によって読み取られた固有情報とを判定部が照合し、リールの付け間違いの有無を判定することができる。仮にリールの付け間違いが生じていると判定された場合には、制御部によって熱圧着装置が作動不能となる。これにより、本来使用すべきでない異方導電フィルムがそのまま実装作業に使用されてしまうことを一層確実に防止できる。
【００１３】
本発明に係る熱圧着装置は、判定部による判定結果を作業者に視覚的又は音声的に知らせる伝達手段を更に備えることが好ましい。判定結果が伝達手段によって視覚的又は音声的に提示されることにより、リールの付け間違いの有無を作業者が容易に認識できる。
【発明の効果】
【００１４】
本発明によれば、熱圧着装置に装着したタグ付きリールに巻かれた異方導電フィルムが今後の実装作業に適したものであるか否かを作業直前に確認できるため、仮に本来使用すべきでないリールを装着した場合であっても、作業を開始する前に適したリールに付け替えることができる。
【発明を実施するための最良の形態】
【００１５】
以下、添付図面を参照しながら本発明の実施形態を詳細に説明する。なお、図面の説明において、同一の要素には同一の符号を付し、重複する説明を省略する。
【００１６】
＜第１実施形態＞
図１を参照しながら、第１実施形態に係る熱圧着装置について説明する。同図に示す熱圧着装置１００は、対向配置された一対の被接続部材Ｓ１，Ｓ２がそれぞれ有する回路電極Ｅ１，Ｅ２を異方導電フィルム１によって電気的に接続して回路接続体を製造するためのものである。熱圧着装置１００は、フィルム巻出し機構１０Ａ、フィルム巻取り機構２０、熱圧着機構３０及びアラーム機構（伝達手段）４０を備える。
【００１７】
フィルム巻出し機構１０Ａは、本体部１０ａとこれに対して回転自在に設けられた回転軸（リール保持手段）１０ｂとを備える。回転軸１０ｂには、図１に示すように、側板にタグ２が付されたリール５が装着される。フィルム巻出し機構１０Ａの本体部１０ａは、リール５の側板５ｂと対向する位置に設けられたリーダ（読取り手段）１２を備える。また、フィルム巻出し機構１０Ａは、フィルム巻出し機構１０Ａに装着すべきリールの固有情報が予め記録されるデータ格納部１３と、熱圧着装置１００の各機構を統括して制御する演算処理部１４とを有する。
【００１８】
図２は、タグ付きリール５の一例を示す斜視図である。リール５は、異方導電フィルム１が巻き重ねられた筒状の巻芯５ａと、巻芯５ａの軸方向の両端面にそれぞれ設けられ、中心部に貫通孔を有する円形の側板５ｂと、一方の側板５ｂに付されたタグ２とを備える。なお、異方導電フィルム１は、テープ形状の基材１ａとその一方面上に設けられた接着剤層１ｂとを有する。接着剤層１ｂは、接着剤成分のみからなるものであってもよいが、接着剤成分中に分散した導電性粒子を含有することが好ましい。接着剤成分としては、熱や光によって硬化性を示す材料が広く適用できる。接続後の耐熱性や耐湿性に優れていることから、架橋性材料を接着剤成分として使用することが好ましい。なかでもエポキシ樹脂を主成分として含有するエポキシ系接着剤は、比較的短時間で熱硬化するため接続作業性がよく、分子構造上接着性に優れている等の特徴から好ましい。導電性粒子としては、例えばＡｕ、Ａｇ、Ｐｔ、Ｎｉ、Ｃｕ、Ｗ、Ｓｂ、Ｓｎ、はんだ等の金属又はカーボンの粒子を使用できる。あるいは、非導電性のガラス、セラミック、プラスチック等を核とし、この核を上記の金属やカーボンで被覆した被覆粒子を使用してもよい。
【００１９】
タグ２は、リール５の固有情報を記録するためのものである。タグ２としては、例えば、非接触ＩＣタグであるラベル型のＲＦＩＤ（Radio  Frequency  Identification）タグ又はミューチップ（登録商標）などを使用できる。タグ２に記録される固有情報としては、異方導電フィルム１の厚さ、幅、長さ、品種、生産日時などが挙げられる。最も簡易的には、固有情報として異方導電フィルム１の固有番号をタグ２に記録してもよい。なお、本実施形態においては、図２に示すように、側板５ｂの表面にタグ２が付されたリール５を例示したが、リーダ１２が読み取ることが可能な位置であればタグ２が他の位置に付されたリールを使用してもよい。
【００２０】
リーダ１２は、タグ２に記録されているリール５の固有情報を読み取るためのものである。リーダ１２には、上記固有情報を読み取るためのリーダアンテナなどが組み込まれている。
【００２１】
データ格納部１３は、実装作業で使用するリールに関する固有情報、すなわち、回転軸１０ｂに次に装着すべきリールの固有情報を予め記録しておくためのものである。ここでいう固有情報とは、被接続部材Ｓ１，Ｓ２の熱圧着に適した異方導電フィルムの厚さ、幅、長さ、品種又は固有番号などである。データ格納部１３として、例えば、不揮発性メモリやＲＡＭなどの半導体記憶素子を使用できる。
【００２２】
演算処理部１４は、熱圧着装置１００の各機構を統括して制御するためのものであり、いわゆるマイクロコンピュータを使用できる。図１に示すように、演算処理部１４は、フィルム巻取り機構２０、熱圧着機構３０及びアラーム機構４０とケーブル４５を介して接続されている。なお、ケーブル４５の代わりに、各機構を無線操作によって連動させてもよい。
【００２３】
演算処理部１４は、判定部１４ａ及び制御部１４ｂを有する。判定部１４ａは、データ格納部１３に記録された次に使用すべきリールの固有情報と、リーダ１２によって読み取られたリール５の固有情報とを照合し、これらの固有情報が一致するか否かを判定するためのものである。判定部１４ａによって上記固有情報が一致すると判定された場合、制御部１４ｂは熱圧着装置１００を作動可能とし、一致しないと判定された場合、熱圧着装置１００を作動不能とする。なお、制御部１４ｂは、熱圧着機構３０における加熱温度や圧着時間の制御、加熱加圧ヘッド３１の昇降速度の調節、被接続部材Ｓ１，Ｓ２の位置の検出、リール５から異方導電フィルム１を繰り出して巻取り側のリール８へ搬送する動作、カッター３４の制御などを制御する機能も有する。
【００２４】
フィルム巻取り機構２０は、本体部２０ａとこれに対して回転自在に設けられた回転軸２０ｂとを備える。回転軸２０ｂには、図１に示すように、異方導電フィルム１の基材１ａを巻き取るためのリール８が装着される。リール８は、巻芯８ａとその両端にそれぞれ設けられた２枚の側板８ｂとからなる。巻芯８ａには異方導電フィルム１の始端部が固定され、巻芯８ａが回転することによって、巻出し側のリール５から異方導電フィルム１が引き出されるようになっている。
【００２５】
熱圧着機構３０は、加熱加圧ヘッド３１、加熱加圧ヘッド３１を上下させて加圧を行うエアシリンダ３２、被接続部材Ｓ１の各辺を加熱加圧ヘッド３１に対応する位置に変位させるワークテーブル３３及びカッター３４等を備える。ワークテーブル３３は、加熱加圧ヘッド３１に対して移動可能に設けられており、被接続部材Ｓ１を載置するためのものである。加熱加圧ヘッド３１は、図１に示すように、被接続部材Ｓ２を保持できるようになっている。熱圧着機構３０において、異方導電フィルム１はローラ（図示せず）等によって保持され、被接続部材Ｓ１，Ｓ２の間の所定の位置に配置される。
【００２６】
なお、被接続部材Ｓ１は、回路部材Ｂ１と、回路部材Ｂ１の主面上に形成された回路電極Ｅ１とを備える。被接続部材Ｓ１の具体例としては、金属配線を有するフレキシブルテープ、フレキシブルプリント配線板、インジウム錫酸化物（ＩＴＯ）が蒸着されたガラス基板などの配線基板が挙げられる。被接続部材Ｓ２は、回路部材Ｂ２と、回路部材Ｂ２の主面上に形成された回路電極Ｅ２とを備える。被接続部材Ｓ２の具体例としては、半導体チップ（ＩＣチップ）、抵抗体チップ、コンデンサチップ等のチップ部品などが挙げられる。これらの部材は、多数の回路電極を備えているものが一般的である。
【００２７】
アラーム機構４０は、判定部１４ａが出力する結果を作業者に知らせるためのものである。判定結果を提示する方法として、白色、黄色、緑色、青色などの発光又は点滅による視覚的方法、ブザー音などの音声的方法、振動などの機械的方法、ＣＲＴ（Cathode  Ray  Tube）などによって表示する方法が挙げられる。
【００２８】
熱圧着装置１００の動作について説明する。まず、フィルム巻出し機構１０Ａのデータ格納部１３に、被接続部材Ｓ１，Ｓ２の熱圧着に適した異方導電フィルムに関する固有情報を予め記録する。その後、タグ２が付されたリール５を回転軸１０ｂに装着する。すると、フィルム巻出し機構１０Ａのリーダ１２がタグ２に記録されたリール５の固有情報を電磁的に読み取る。次いで、リーダ１２から判定部１４ａに問い合わせ信号が送られ、判定部１４ａがデータ格納部１３に記録された固有情報と、タグ２に記録されたリール５の固有情報とを照合する。判定部１４ａにおいては、熱圧着装置１００で使用すべき異方導電フィルム１の必要項目についての照合が行なわれる。
【００２９】
リール５に巻かれた異方導電フィルム１の固有情報の必要項目がすべて一致する場合、制御部１４ｂが熱圧着装置１００の作動を許可する信号を各機構へ送る。これにより、熱圧着装置１００は作動可能となり、熱圧着作業を開始することができる。一方、固有情報の必要項目が一つでも一致しない場合、熱圧着装置１００の作動を許可しない信号が制御部１４ｂから各機構へと送られる。これにより、熱圧着装置１００は作動不可能となる。
【００３０】
すなわち、フィルム巻出し機構１０Ａに装着したリールが適正なものであれば、被接続部材Ｓ１，Ｓ２の熱圧着作業がそのまま進行する。これに対し、フィルム巻出し機構１０Ａに装着したリールが不適正なものであれば、作業者が別のリールに付け替える。なお、演算処理部１４の制御部１４ｂは、判定部１４ａによる判定結果に対応する信号をアラーム機構４０へ送信する。これにより、アラーム機構４０は、視覚的方法、ブザー音などの音声的方法、振動などの機械的方法により照合結果を提示する。アラーム機構４０によって判定結果が視覚的又は音声的に提示されることにより、作業者はリールの付け間違いの有無を容易且つ早期に認識することができる。
【００３１】
上記の通り、熱圧着装置１００によれば、リール５をフィルム巻出し機構１０Ａの回転軸１０ｂに装着する際、リーダ１２によってタグ２に記録された情報を読み取ることができる。このことにより、リールの種類の識別や履歴管理を自動的に行うことができ、リールの付け間違いを十分に防止できる。また、仮にリールの付け間違いが生じた場合であっても、制御部１４ｂによって熱圧着装置１００が作動しないように制御されるため、被接続部材Ｓ１，Ｓ２の熱圧着に見合わない異方導電フィルムがそのまま使用されてしまうことを十分に防止することができる。
【００３２】
＜第２実施形態＞
図３を参照しながら、第２実施形態に係る熱圧着装置について説明する。本実施形態に係る熱圧着装置２００は、以下の点において上記第１実施形態に係る熱圧着装置１００と相違する。すなわち、熱圧着装置１００はフィルム巻出し機構１０Ａがデータ格納部１３を備えたものであるのに対し、熱圧着装置２００はデータ格納部がサーバ５０上に設けられている点である。
【００３３】
図３に示すように、熱圧着装置２００は、フィルム巻出し機構１０Ｂ、フィルム巻取り機構２０、熱圧着機構３０、サーバ５０及び停止制御装置６０を備える。サーバ５０は、サーバ用データ格納部５３及びサーバ用演算処理部５４を有する。停止制御装置６０は、サーバ５０を介して熱圧着装置２００を制御するためのものである。
【００３４】
熱圧着装置２００の動作について説明する。まず、サーバ用データ格納部５３に、被接続部材Ｓ１，Ｓ２の熱圧着に適した異方導電フィルムに関する固有情報を予め記録する。その後、タグ２が付されたリール５を回転軸１０ｂに装着する。すると、フィルム巻出し機構１０Ｂのリーダ１２がタグ２に記録されたリール５の固有情報を電磁的に読み取る。次いで、フィルム巻出し機構１０Ｂの演算処理部１５を介してリーダ１２からの問い合わせ信号がサーバ用演算処理部５４に送られる。サーバ用演算処理部５４は、サーバ用データ格納部５３に予め記録された固有情報と、タグ２に記録されたリール５の固有情報とを照合する。
【００３５】
サーバ用演算処理部５４は、固有情報が一致するか否かを判定する機能を有し、異方導電フィルム１の固有情報の必要項目がすべて一致する場合、熱圧着装置２００の作動を許可する信号を演算処理部１５へ送る。これにより、熱圧着装置２００は作動可能となり、熱圧着作業を開始することができる。一方、固有情報の必要項目が一つでも一致しない場合、熱圧着装置２００の作動を許可しない信号がサーバ用演算処理部５４から演算処理部１５へと送られる。これにより、熱圧着装置２００は作動不可能となる。
【００３６】
すなわち、フィルム巻出し機構１０Ｂに装着したリールが適正なものであれば、被接続部材Ｓ１，Ｓ２の熱圧着作業がそのまま進行する。これに対し、フィルム巻出し機構１０Ｂに装着したリールが不適正なものであれば、作業者が別のリールに付け替える。すると、再度、フィルム巻出し機構１０Ｂのリーダ１２からの問い合わせ信号が、演算処理部１５を介してサーバ用演算処理部５４へ送られる。サーバ用演算処理部５４が適正なリールであると判定すると、サーバ用演算処理部５４から停止制御装置６０へ解除要請信号が送られる。その後、停止制御装置６０からサーバ用演算処理部５４へ解除命令信号が送られ、熱圧着装置２００を稼動できるようになる。
【００３７】
熱圧着装置２００によれば、第１実施形態に係る熱圧着装置１００で得られる効果に加え、以下のような効果が奏される。すなわち、サーバ用データ格納部５３にリール（異方導電フィルム）の固有情報を記録するため、フィルム巻出し機構１０Ｂを小型化できる。また、熱圧着装置を複数使用する場合であっても、共通のサーバ５０上でリールに関する情報を一元的に管理できる。
【００３８】
以上、本発明の好適な実施形態について詳細に説明したが、本発明は上記実施形態に限定されるものではない。例えば、上記実施形態においては、特に好ましい形態として、フィルム巻出し機構の本体部１０ａにリーダ１２を配設する場合を例示したが、リーダが熱圧着機構３０等と連動したものであれば、他の構成であってもよい。例えば、リーダ１２を本体部１０ａに配設せず、本体部１０ａから独立したものとしてもよい。リールを回転軸１０ｂに装着する際、リールに付されたタグにリーダをかざし、このリールが適正なものであるか否かをリーダが直接判定し、不適正と判定された場合に熱圧着装置が作動不能となるようにすればよい。この場合、上記第２実施形態と同様、サーバ上でリールのデータ管理を行ってもよく、リーダにデータ格納部を設け、そこでデータ管理を行ってもよい。
【図面の簡単な説明】
【００３９】
【図１】本発明の熱圧着装置の第１実施形態を示す模式図である。
【図２】タグ付きリールの一例を示す斜視図である。
【図３】本発明の熱圧着装置の第２実施形態を示す模式図である。
【符号の説明】
【００４０】
１…異方導電フィルム、２…タグ、５…リール、５ａ…巻芯、５ｂ…側板、１０Ａ，１０Ｂ…フィルム巻出し機構、１０ｂ…回転軸（リール保持手段）、１２…リーダ（読取り手段）、１３…データ格納部、１４，１５…演算処理部、１４ａ…判定部、１４ｂ…制御部、２０…フィルム巻取り機構、３０…熱圧着機構、４０…アラーム機構、５０…サーバ、５３…サーバ用データ格納部、５４…サーバ用演算処理部、６０…停止制御装置、１００，２００…熱圧着装置、Ｂ１，Ｂ２…回路部材、Ｅ１，Ｅ２…回路電極、Ｅ２…回路電極、Ｓ１，Ｓ２…被接続部材。
【図１】
2009278059.tif 000003
【図２】
2009278059.tif 000004
【図３】
2009278059.tif 000005